(57)【要約】  複数本の光ファイバ心線が配列されたテープ心線と、該テープ心線の両側に配置された２本のテンションメンバと、該２本のテンションメンバを結ぶ線分と並行する位置に前記テープ心線を挟んで配置された２枚の平板状介在と、を備え、前記２本のテンションメンバと前記２枚の平板状介在とがケーブル外被で略長方形状になるように一体に被覆され、２対の切り裂きノッチが前記ケーブル外被の長手方向に形成された光ファイバケーブルであって、前記２枚の平板状介在は、前記２対の切り裂きノッチのそれぞれを結ぶ線分を超える長さを備え、かつ、前記２枚の平板状介在の間に緩衝材を有し、該緩衝材により前記２枚の平板状介在の間隔が略所定値に保持され、前記緩衝材は、前記テープ心線と接触している光ファイバケーブルである。
2018207733.tif 000002
【特許請求の範囲】
【請求項１】
複数本の光ファイバ心線が配列されたテープ心線と、該テープ心線の両側に配置された２本のテンションメンバと、該２本のテンションメンバを結ぶ線分と並行する位置に前記テープ心線を挟んで配置された２枚の平板状介在と、を備え、前記２本のテンションメンバと前記２枚の平板状介在とがケーブル外被で略長方形状になるように一体に被覆され、２対の切り裂きノッチが前記ケーブル外被の長手方向に形成された光ファイバケーブルであって、
前記２枚の平板状介在は、前記２対の切り裂きノッチのそれぞれを結ぶ線分を超える長さを備え、かつ、前記２枚の平板状介在の間に緩衝材を有し、該緩衝材により前記２枚の平板状介在の間隔が略所定値に保持され、前記緩衝材は、前記テープ心線と接触している光ファイバケーブル。
【請求項２】
前記２枚の平板状介在の間隔が、前記テープ心線および前記緩衝材によって略所定値に保持されている請求項１に記載の光ファイバケーブル。
【請求項３】
前記テープ心線の端心と前記ケーブル外被の接触する角度が１８０°以下となるように前記緩衝材が配置されている、請求項１または２に記載の光ファイバケーブル。
【請求項４】
前記２枚の平板状介在の間隔が、前記緩衝材のみによって略所定値に保持され、かつ、前記２枚の平板状介在の少なくとも一方は前記テープ心線と非接触である、請求項１に記載の光ファイバケーブル。
【請求項５】
前記テープ心線が、隣り合う光ファイバ心線同士を連結部と非連結部により間欠的に連結してなる間欠テープ心線である、請求項１乃至４のいずれか１に記載の光ファイバケーブル。
【発明の詳細な説明】
【技術分野】
【０００１】
本発明は、光ファイバケーブルに関する。
本出願は、２０１７年５月８日出願の日本出願第２０１７−０９２２２６号に基づく優先権を主張し、前記日本出願に記載された全ての記載内容を援用するものである。
【背景技術】
【０００２】
特許文献１には、剥離テープ（介在）を３枚実装している光ファイバケーブルが開示されている。
【先行技術文献】
【特許文献】
【０００３】
【特許文献１】特開２００９−２１７１９５号公報
【発明の概要】
【０００４】
本開示の光ファイバケーブルは、複数本の光ファイバ心線が配列されたテープ心線と、該テープ心線の両側に配置された２本のテンションメンバと、該２本のテンションメンバを結ぶ線分と並行する位置に前記テープ心線を挟んで配置された２枚の平板状介在と、を備え、前記２本のテンションメンバと前記２枚の平板状介在とがケーブル外被で略長方形状になるように一体に被覆され、２対の切り裂きノッチが前記ケーブル外被の長手方向に形成された光ファイバケーブルであって、前記２枚の平板状介在は、前記２対の切り裂きノッチのそれぞれを結ぶ線分を超える長さを備え、かつ、前記２枚の平板状介在の間に緩衝材を有し、該緩衝材により前記２枚の平板状介在の間隔が略所定値に保持され、前記緩衝材は、前記テープ心線と接触している光ファイバケーブルである。
【図面の簡単な説明】
【０００５】
【図１Ａ】本発明の第１実施形態による光ファイバケーブルの一例を示す図である。
【図１Ｂ】本発明の第１実施形態による光ファイバケーブルの一例の専用分割工具による分割後の状態を示す図である。
【図２Ａ】本発明の第２実施形態による光ファイバケーブルの一例を示す図である。
【図２Ｂ】本発明の第３実施形態による光ファイバケーブルの一例を示す図である。
【図２Ｃ】本発明の第４実施形態による光ファイバケーブルの一例を示す図である。
【図２Ｄ】本発明の第５実施形態による光ファイバケーブルの一例を示す図である。
【図３Ａ】従来の光ファイバケーブルについて示す図である。
【図３Ｂ】従来の光ファイバケーブルの専用分割工具について示す図である。
【図３Ｃ】従来の光ファイバケーブルの専用分割工具による分割後の状態を示す図である。
【図４Ａ】従来の光ファイバケーブルが少心化され、光ファイバ心線と平板状介在とが接して配置された場合に、専用分割工具の刃をノッチに挿入した状態を示す図である。
【図４Ｂ】従来の光ファイバケーブルが少心化され、光ファイバ心線と平板状介在とが分離して配置されている状態を示す図である。
【図５Ａ】間欠テープ心線を閉じた状態の一例を示す図である。
【図５Ｂ】間欠テープ心線を配列方向に開いた状態の一例を示す図である。
【発明を実施するための形態】
【０００６】
［本開示が解決しようとする課題］
通信事業者と各家庭とを直接光ファイバで結び高速通信サービスを提供するＦＴＴＨ（Fiber To The Home）サービスが開始され、加入者宅への光ファイバの引き込みや構内ネットワークなどの拡大で、複数の家庭や複数端末に分配する配線工事の需要が増大している。配線工事の作業性を向上させるために、配線用光ファイバケーブルの細径化・軽量化（いわゆる少心化）が行われている。
【０００７】
図３Ａ，３Ｂ，３Ｃは、従来の配線用光ファイバケーブル及び専用分割工具について示す図である。図３Ａは光ファイバケーブルを示し、図３Ｂは専用分割工具を示し、図３Ｃは専用分割工具によって光ファイバケーブルが分割された状態を示す。図中、１００は光ファイバケーブル、１０１はケーブル外被、１０２はテンションメンバ、１０３は光ファイバ心線、１０４は平板状介在、１０５は切り裂きノッチ、１０６は支持線、１０７は支持線被覆、１０８は連結部を示す。
【０００８】
光ファイバケーブル１００は、自己支持型の光ファイバケーブルであり、ケーブル外被（シースともいう）１０１の略中央部に複数本の光ファイバ心線１０３が撚らずに並べて配置され、この光ファイバ心線１０３を挟むように、プラスチック製の平板状介在１０４が配置される。そして、光ファイバ心線１０３の両側にはテンションメンバ（抗張力体ともいう）１０２が一体に埋設され、また、光ファイバ心線１０３を取り出すためのＶ字状の切り裂きノッチ１０５が形成されている。
【０００９】
また、この光ファイバケーブル１００は、支持線１０６を備え、この支持線１０６は、例えば、１.２〜２.６ｍｍφの鋼線からなり、支持線１０６を被覆する支持線被覆１０７は、連結部１０８を介して低密度ポリエチレンなどで、ケーブル外被１０１と一体的に成形されている。なお、光ファイバケーブル１００は、この支持線部分の有無に係らず、屋内用又はドロップ用の光ファイバケーブルとして使用される。
【００１０】
図３Ｂに示すように、専用分割工具１１０は、ベース部材１１１に刃１１２が形成され、光ファイバケーブル１００をベース部材１１１の凹部にセットして挟み込んだときに、刃１１２が切り裂きノッチ１０５に合うように配置されている。この専用分割工具１１０を用いることで、布設された光ファイバケーブル１００の中間部での光ファイバ心線１０３の取り出しを短時間に行うことができる。具体的には、光ファイバケーブル１００の切り裂きノッチ１０５に専用分割工具１１０の刃１１２を挿入することで、図３Ｃに示すように分割され、光ファイバ心線１０３を取り出すことができる。専用分割工具１１０の刃１１２は、光ファイバケーブル１００を挟み込み、閉じた状態において、対抗する刃先同士が所定値となる一定の距離（例えば０．６２ｍｍ）を置いて離間する長さに設けられ、光ファイバケーブル１００のケーブル外被１０１に対する切り込み深さを規制している。
【００１１】
上記において、光ファイバ心線１０３と並行に配列されている平板状介在１０４が光ファイバ心線と接するように配置されていると、介在の存在により、光ファイバ心線１０３はケーブル外被１０１に埋没しにくくなる。また、光ファイバ心線１０３は、図３Ａに示されるような０．２５ｍｍ径の４心テープ心線２枚（８心）等により構成されるが、平板状介在１０４の間の距離を、専用分割工具１１０の刃１１２がちょうど届くような距離（略所定値）にすることで、光ファイバ心線１０３を傷つけることなく、光ファイバ心線１０３を容易に取り出すことができていた。
【００１２】
しかしながら、光ファイバケーブル１００の少心化や光ファイバ心線１０３の細径化などにより、実装される光ファイバ心線１０３の断面積の和が小さくなると、平板状介在１０４の間の距離を十分に離すことができず、専用分割工具１１０の刃１１２が平板状介在１０４に届かなくなり、光ファイバ心線１０３を取り出し難くなるという問題がある。これについて、以下の図４Ａ，４Ｂに基づいて説明する。
【００１３】
図４Ａは、細径化された８心の光ファイバ心線１０３と平板状介在１０４ａとが接して配置され、切り裂きノッチ１０５に専用分割工具１１０の刃１１２を挿入した状態を示し、図４Ｂは、同じく細径化された８心の光ファイバ心線１０３と平板状介在１０４ｂとが距離を置いて配置されている状態を示す。図４Ａ，４Ｂにおいて、光ファイバ心線１０３は、心数は同じであるが、断面積の和が図３Ａにおける光ファイバ心線１０３よりも小さくなっている。
【００１４】
図４Ａに示すように、光ファイバ心線１０３と平板状介在１０４ａとが接して配置される場合、平板状介在１０４ａの間の距離が、図３Ａにおける場合よりも狭くなるため、専用分割工具１１０を用いて分割する際に、その刃１１２が平板状介在１０４ａに届かなくなる。刃を長くすれば届くようにはなるが、工具を複数種類用意する必要があり、また、刃の挿入に大きな力が必要となり、刃が破損する虞もある。
【００１５】
一方、図４Ｂに示すように、光ファイバ心線１０３と平板状介在１０４ｂとが接せずに配置される場合、平板状介在１０４ｂの間に一定の距離（略所定値）が確保され、専用分割工具１１０の刃１１２が平板状介在１０４ｂに届くようになるが、光ファイバ心線１０３がケーブル外被１０１に埋没してしまう。結果として、図４Ａ，４Ｂに示すいずれの場合においても、専用分割工具１１０を用いて光ファイバ心線１０３を取り出す作業が、やりづらくなる。
【００１６】
これに対して、特許文献１には、剥離テープ（介在）を３枚実装し、光ファイバ心線（テープ心線を含む）がケーブル外被に接着や埋設されることなく容易に取り出すことができる光ファイバケーブルが開示されている。この特許文献１の構造によれば、実装された３枚の剥離テープ（介在）のうち、中央の剥離テープ（介在）は、少なくとも２列の光ファイバ心線の列間に配され、ノッチの切込み軸線と交差するように光ファイバ心線列の両端側から突き出る幅を有し、外側の剥離テープ（介在）は、光ファイバ心線列の最外表面に接し、ノッチの切込み軸線と交差しないが光ファイバ心線列の最外表面を完全に覆う幅を有する。
【００１７】
しかしながら、そもそも上記特許文献１に記載の光ファイバケーブルにおいては、ケーブル外被の切断に、ニッパーのような一般的な工具を用いており、刃の長さが一定である専用分割工具を用いることは想定されていない。したがって、外側の剥離テープ（介在）の間の距離は、光ファイバ心線の取り出しやすさに影響しないが、専用分割工具を用いないので、作業がやりにくい。
【００１８】
そこで、光ファイバケーブルの少心化や光ファイバ心線の細径化などにより、実装される光ファイバ心線の断面積の和が小さくなっても、専用分割工具の刃が届く程度に平板状介在の間の距離を略規定値に保持し、かつ、光ファイバ心線がケーブル外被に埋没することなく、光ファイバ心線の取り出しが容易な光ファイバケーブルを提供することを目的とする。
【００１９】
［本開示の効果］
本開示によれば、光ファイバケーブルの少心化や光ファイバ心線の細径化などにより、実装される光ファイバ心線の断面積の和が小さくなっても、平板状介在の間の距離を略規定値に保持し、かつ、光ファイバ心線がケーブル外被に埋没することなく、専用分割工具による光ファイバ心線の取り出しが容易な光ファイバケーブルを提供することができる。
【００２０】
［本発明の実施形態の説明］
最初に本発明の実施態様を列記して説明する。
本発明の一態様に係る光ファイバの発明は、（１）複数本の光ファイバ心線が配列されたテープ心線と、該テープ心線の両側に配置された２本のテンションメンバと、該２本のテンションメンバを結ぶ線分と並行する位置に前記テープ心線を挟んで配置された２枚の平板状介在と、を備え、前記２本のテンションメンバと前記２枚の平板状介在とがケーブル外被で略長方形状になるように一体に被覆され、２対の切り裂きノッチが前記ケーブル外被の長手方向に形成された光ファイバケーブルであって、前記２枚の平板状介在は、前記２対の切り裂きノッチのそれぞれを結ぶ線分を超える長さを備え、かつ、前記２枚の平板状介在の間に緩衝材を有し、該緩衝材により前記２枚の平板状介在の間隔が略所定値に保持され、前記緩衝材は、前記テープ心線と接触している光ファイバケーブルである。光ファイバケーブルの少心化や光ファイバ心線の細径化などにより、実装される光ファイバ心線の断面積の和が小さくなっても、平板状介在の間の距離を略所定値に保持し、かつ、光ファイバ心線がケーブル外被に埋没することなく、専用分割工具による光ファイバ心線の取り出しが容易になる。
【００２１】
（２）前記２枚の平板状介在の間隔が、前記テープ心線および前記緩衝材によって略所定値に保持されていることが好ましい。テープ心線自体も間隔保持部材として用いて、緩衝材を用いる量を抑えることで、光ファイバケーブルの製造コストを低減し得る。
【００２２】
（３）前記テープ心線の端心と前記ケーブル外被の接触する角度が１８０°以下となるように前記緩衝材が配置されていることが好ましい。ケーブル外被との接触角が小さいため、テープ心線の端心はケーブル外被に埋没しにくくなり、テープ心線を指先で摘まんで引っ張り出す際に、テープ樹脂が剥がれて単心分離するのを防止することができ、安全にテープ心線をケーブル外被から取り出すことができる。
【００２３】
（４）前記２枚の平板状介在の間隔が、前記緩衝材のみによって略所定値に保持され、かつ、前記２枚の平板状介在の少なくとも一方は前記テープ心線と非接触であることが好ましい。緩衝材を、テープ心線に対して２本のテンションメンバの中心を結ぶ方向（縦方向）に直交する位置に、横方向に配置することで、２枚の平板状介在の間隔を略所定値に保持し得る。
【００２４】
（５）前記テープ心線が、隣り合う光ファイバ心線同士を連結部と非連結部により間欠的に連結してなる間欠テープ心線であることが好ましい。テープ心線をケーブル外被から取り出した後に、光ファイバ心線を単心分離することが容易になる。
【００２５】
［本発明の実施形態の詳細］
以下、添付図面を参照しながら、本発明による光ファイバケーブルの好適な実施の形態について説明する。今回開示された実施の形態はすべての点で例示であって制限的なものではないと考えられるべきである。本発明の範囲は、上記した意味ではなく、請求の範囲によって示され、請求の範囲と均等の意味および範囲内でのすべての変更が含まれることが意図される。
【００２６】
（第１実施形態）
図１Ａは、本発明の第１実施形態による光ファイバケーブルの一例を示す図である。光ファイバケーブル１０は、例えば断面が略長方形状の本体部２０を有している。なお、光ファイバケーブル１０は、屋外向けの光ファイバケーブルのように、本体部２０と、支持線被覆１７で周囲を覆われた支持線１６を、連結部１８で連結した自己支持型の構造にも適用可能である。
【００２７】
本体部２０は、中心にテープ心線１３を有し、その両側に２本で一対のテンションメンバ１２が設けられており、ケーブル外被１１で一体的に被覆されている。
テープ心線１３は、例えば４本の光ファイバ心線を並列に配置し、全長に亘って共通被覆でテープ状に一体化したものである。
光ファイバ心線は、例えば、標準外径１２５μｍのガラスファイバに被覆外径が２５０μｍ前後の被覆を施した光ファイバ素線と称されるものの外側に、さらに着色被覆を施したものであるが、これらに限られるものではなく、被覆外径が１６５μｍ、２００μｍ程度の細径ファイバであってもよい。また、光ファイバの心数は、２心、８心など任意の心数を選択できる。
【００２８】
また、上記のテープ心線に替えて、図５Ａ，５Ｂに示すような間欠テープ心線であってもよい。図５Ａは、間欠テープ心線を閉じた状態を示し、図５Ｂは、間欠テープ心線を配列方向に開いた状態を示す。間欠テープ心線５は、４本の光ファイバ心線１〜４が平行一列に配列され、隣り合う光ファイバ心線同士を連結部６ａと非連結部６ｂにより間欠的に連結して形成されたものである。なお、連結部６ａと非連結部６ｂを１心毎に設ける必要はなく、例えば２心毎に設けてもよい。
【００２９】
あるいは、被覆を各光ファイバ心線の形状に沿うように窪ませたテープ心線であってもよい。この構造の場合、被覆を工具でしごくと、その応力によって心線間に亀裂が生じるので、容易に光ファイバ心線毎に分割することができる。また、テープ心線ではなく、単心の光ファイバ心線を複数揃えたものであってもよい。
【００３０】
テンションメンバ１２は、テープ心線１３の両側に、このテープ心線１３の長手方向に沿って略平行にそれぞれ配置されている。テンションメンバ１２には、引っ張りや圧縮に対する耐力を有する線材として、例えば鋼線やＦＲＰ（Ｆｉｂｅｒ  Ｒｅｉｎｆｏｒｃｅｄ  Ｐｌａｓｔｉｃｓ）、アラミド繊維などが用いられる。２本のテンションメンバ１２を並べた場合、光ファイバケーブル１０はテンションメンバ１２の中心を結ぶ方向（縦方向ともいう）には曲がりにくくなり、テンションメンバ１２の中心を結ぶ方向に対して直交する方向（横方向）に曲がりやすくなる。
【００３１】
図１Ａに示すように、テープ心線１３の周囲には、平板状介在１４や緩衝材１９が設けられている。
平板状介在１４は、２本のテンションメンバ１２の中心を結ぶ方向に対して並行する位置に並ぶように２枚配置され、テープ心線１３を挟んでケーブル長手方向に延びている。平板状介在１４は、例えばポリエチレンテレフタレート（ＰＥＴ）製の部材であり、ケーブル外被１１の押出成形時や光ファイバケーブル１０の解体時に、その内部のテープ心線１３を保護する。
【００３２】
緩衝材１９は、例えばポリエチレン（ＰＥ）製の繊維状の部材であり、２本のテンションメンバ１２の中心を結ぶ方向に対して並行する位置に２個配置され、テープ心線１３を挟んでおり、テープ心線１３と接触している。なお、緩衝材１９の部材としては、ポリプロピレン（ＰＰ）やポリエチレンテレフタレート（ＰＥＴ）などの樹脂製のヤーンを用いてもよいが、樹脂製でなくてもよい。
この緩衝材１９の幅を調整し、緩衝材１９を２個、テープ心線１３と並べて平板状介在１４の間に配置することにより、平板状介在１４の間隔を、専用分割工具の刃がちょうど届くような距離（略所定値）としている。
なお、図１Ａに示すように、緩衝材１９は、テープ心線１３の端心とケーブル外被１１の接触する角度が１８０°以下となるように配置されている。ケーブル外被１１との接触角が小さいため、テープ心線１３の端心はケーブル外被１１に埋没しにくくなり、テープ心線１３を指先で摘まんで引っ張り出す際に、テープ樹脂が剥がれて単心分離するのを防止することができ、安全にテープ心線１３をケーブル外被１１から取り出すことができる。
【００３３】
ケーブル外被１１は、本体部２０の被覆を構成し、例えば低密度ポリエチレン製の樹脂を押出成形することによって成形され、テープ心線１３やテンションメンバ１２、平板状介在１４などを覆う。略長方形状の本体部２０には、２本のテンションメンバ１２の中心を結ぶ方向（縦方向）に約６ｍｍ程度の幅を有した長側面が設けられ、テンションメンバ１２の中心を結ぶ方向に対して直交する方向（横方向）に約３ｍｍ程度の幅を有した短側面が設けられる。
【００３４】
本体部２０の長側面には、外被引裂き用の２対の切り裂きノッチ１５が設けられている。切り裂きノッチ１５は断面Ｖ字状に形成されており、そのＶ字の二等分線上に位置する先端が、２本のテンションメンバ１２の中心を結ぶ方向に対して直交する方向（横方向）で対峙している。
【００３５】
図１Ｂは、本発明の第１実施形態による光ファイバケーブルの一例の専用分割工具による分割後の状態を示す図である。光ファイバケーブル１０の本体部２０は、切り裂きノッチ１５に専用分割工具１１０の刃１１２を挿入することで、同図に示すように分割され、テープ心線１３を取り出すことができる。
【００３６】
（第２実施形態）
図２Ａは、本発明の第２実施形態による光ファイバケーブルの一例を示す図である。この第２実施形態と図１Ａで説明した第１実施形態とは、テープ心線１３の心数は同じであるものの、緩衝材１９の位置、大きさ及び個数が異なる。詳しくは、図２Ａに示した光ファイバケーブル１０では、緩衝材１９が、２本のテンションメンバ１２の中心を結ぶ方向に対して並行する位置に１個配置され、２枚の平板状介在１４の対向する面にそれぞれ接する２枚のテープ心線１３の間に挟まれて設けられている。また、本実施形態における１個の緩衝材１９は、２本のテンションメンバ１２の中心を結ぶ方向に対して直交する方向（横方向）について、第１実施形態における２個の緩衝材１９に相当する程度の厚みを有する。他の構造は第１実施形態と同じであるため、詳細な説明は省略する。
本実施形態においても、テープ心線１３の端心とケーブル外被１１の接触する角度が１８０°以下となるように緩衝材１９が配置されており、テープ心線１３の端心がケーブル外被１１に埋没しにくくなっている。
【００３７】
（第３実施形態）
図２Ｂは、本発明の第３実施形態による光ファイバケーブルの一例を示す図である。この第３実施形態と図１Ａで説明した第１実施形態とは、テープ心線１３の心数は同じであるものの、緩衝材１９の位置、大きさ及び個数が異なる。詳しくは、図２Ｂに示した光ファイバケーブル１０では、緩衝材１９が、２本のテンションメンバ１２の中心を結ぶ方向に対して並行する位置に１個配置され、２枚の平板状介在１４の対向する面の一方に接して設けられている。ここで、テープ心線１３は、２本のテンションメンバ１２の中心を結ぶ方向（縦方向）に２枚並べて配置され、緩衝材１９と該緩衝材１９が接している平板状介在１４とは異なる平板状介在１４とに挟まれて設けられている。また、本実施形態における１個の緩衝材１９は、２本のテンションメンバ１２の中心を結ぶ方向に対して直交する方向（横方向）について、第１実施形態における２個の緩衝材１９と１枚のテープ心線１３に相当する程度の厚みを有する。他の構造は第１実施形態と同じであるため、詳細な説明は省略する。
本実施形態においても、第２実施形態と同様に、テープ心線１３の端心とケーブル外被１１の接触する角度が１８０°以下となるように緩衝材１９が配置されており、テープ心線１３の端心がケーブル外被１１に埋没しにくくなっている。
【００３８】
（第４実施形態）
図２Ｃは、本発明の第４実施形態による光ファイバケーブルの一例を示す図である。この第４実施形態と図１Ａで説明した第１実施形態とは、テープ心線１３の心数は同じであるものの、緩衝材１９の位置及び個数が異なる。詳しくは、図２Ｃに示した光ファイバケーブル１０では、緩衝材１９が、テープ心線１３に対して２本のテンションメンバ１２の中心を結ぶ方向（縦方向）の両側及び同方向に対して直交する位置に２個ずつ計４個配置され、それぞれ２枚の平板状介在１４の対向する面に一部、若しくは片面の全部が接して設けられている。ここで、テープ心線１３は、２本のテンションメンバ１２の中心を結ぶ方向に対して並行する位置に２枚並べて配置され、４個の緩衝材１９に囲まれて設けられている。また、本実施形態における４個の緩衝材１９のうち、２本のテンションメンバ１２の中心を結ぶ方向に対して並行する位置に設けられた２個の緩衝材１９は、横方向について、第１実施形態における２個の緩衝材１９に相当する程度の厚みを有する。他の構造は第１実施形態と同じであるため、詳細な説明は省略する。
本実施形態においては、第１実施形態と同様に、緩衝材１９を２本のテンションメンバ１２の中心を結ぶ方向に対して並行する位置に配置するとともに、テープ心線１３に対して２本のテンションメンバ１２の中心を結ぶ方向（縦方向）に直交する位置にも配置することで、テープ心線１３がケーブル外被１１に一切接触せず、テープ心線１３を取り出す際に、テープ心線１３を覆うテープ樹脂が剥がれて単心分離することを防止でき、より安全にテープ心線１３をケーブル外被１１から取り出すことができる。
【００３９】
（第５実施形態）
図２Ｄは、本発明の第５実施形態による光ファイバケーブルの一例を示す図である。この第５実施形態と図１Ａで説明した第１実施形態とは、テープ心線１３の心数は同じであるものの、緩衝材１９の位置及び大きさが異なる。詳しくは、図２Ｄに示した光ファイバケーブル１０では、緩衝材１９が、テープ心線１３に対して２本のテンションメンバ１２の中心を結ぶ方向（縦方向）に直交する位置に２個配置され、２枚の平板状介在１４の対向する面に一部が接するように設けられている。ここで、テープ心線１３は、２本のテンションメンバ１２の中心を結ぶ方向に対して並行する位置に２枚並べて配置され、２個の緩衝材１９に挟まれて設けられている。２枚の平板状介在１４の少なくとも一方はテープ心線１３と非接触であり、同図に示すように、ケーブル外被１１は、テープ心線１３と平板状介在１４と緩衝材１９とに囲まれた領域には存在しない。他の構造は第１実施形態と同じであるため、詳細な説明は省略する。
本実施形態においては、緩衝材１９を、テープ心線１３に対して２本のテンションメンバ１２の中心を結ぶ方向に直交する位置に、横方向に配置することで、第１実施形態における２個の緩衝材１９と２枚のテープ心線１３に相当する程度の間隔を保持している。
【００４０】
上記のように、本発明の実施形態によれば、光ファイバケーブルの少心化や光ファイバ心線の細径化などにより、実装される光ファイバ心線の断面積の和が小さくなっても、専用分割工具の刃が届く程度に平板状介在の間の距離を略所定値に保持し、かつ、光ファイバ心線がケーブル外被に埋没することなく、光ファイバ心線の取り出しが容易な光ファイバケーブルを提供することが可能となる。
【符号の説明】
【００４１】
１〜４，１０３…光ファイバ心線、５…間欠テープ心線、１０，１００…光ファイバケーブル、１１，１０１…ケーブル外被、１２，１０２…テンションメンバ、１３…テープ心線、１４，１０４…平板状介在、１５，１０５…切り裂きノッチ、１６，１０６…支持線、１７，１０７…支持線被覆、１８，１０８…連結部、１９…緩衝材、２０…本体部、１１０…専用分割工具、１１１…ベース部材、１１２…刃。
【図１Ａ】
2018207733.tif 000003
【図１Ｂ】
2018207733.tif 000004
【図２Ａ】
2018207733.tif 000005
【図２Ｂ】
2018207733.tif 000006
【図２Ｃ】
2018207733.tif 000007
【図２Ｄ】
2018207733.tif 000008
【図３Ａ】
2018207733.tif 000009
【図３Ｂ】
2018207733.tif 000010
【図３Ｃ】
2018207733.tif 000011
【図４Ａ】
2018207733.tif 000012
【図４Ｂ】
2018207733.tif 000013
【図５Ａ】
2018207733.tif 000014
【図５Ｂ】
2018207733.tif 000015
【国際調査報告】
2018207733.tif 000016
2018207733.tif 000017
2018207733.tif 000018